(57)【要約】【課題】ペットボトル容積の大小によらずコップを蓋として被せることができるペットボトル用コップを提供する。ペットボトルが、中型（０．５リットル）であっても大型（２リットル）であっても、キャップ部がペットボトルの口部に対して蓋として機能し、いずれのペットボトルでも見栄えがよく、また簡便で比較的安価に製造できるペットボトル用コップを提供する。【解決手段】コップ内側の底部中央に、ペットボトルの蓋となるキャップ部を突出して一体成形するとともに、該キャップ部には、突出部分を延長するための延長用部材を着脱可能に設けていることを特徴とするペットボトル用コップによって提供する；前記延長用部材は、長さが３０〜５０ｍｍであることが好ましい。【選択図】図１
0003163596.tif 000002
【実用新案登録請求の範囲】
【請求項１】
コップ内側の底部中央に、ペットボトルの蓋となるキャップ部を突出して一体成形するとともに、該キャップ部には、突出部分を延長するための延長用部材を着脱可能に設けていることを特徴とするペットボトル用コップ。
【請求項２】
前記延長用部材は、長さが３０〜５０ｍｍであることを特徴とする請求項１に記載のペットボトル用コップ。
【考案の詳細な説明】
【技術分野】
【０００１】
本考案は、ペットボトル用コップに関し、さらに詳しくは、ペットボトル容積の大小によらずコップを蓋として被せることができるペットボトル用コップに関する。
【背景技術】
【０００２】
近年、清涼飲用水を保管、輸送するための手軽な容器としてペットボトルが普及し、様々なサイズのものが大量に販売され流通している。
ペットボトルは、大人から子供まで、健常者から障害者まで幅広く利用されているが、０．５リットル〜２リットルのように比較的大容積のものを室内で飲む場合は、別にコップを用意して、ペットボトルから飲み物を移して飲むようにすることが多い。
ところが、ペットボトルのキャップは紛失しやすいし、子供やお年寄りなどが利用の都度自分のコップを用意するのは煩わしい。
【０００３】
そのため、ペットボトルの蓋に、本来の蓋としての機能と、コップとしての機能を兼用すべく、コップの底面の中心に、蓋を接着したり、図３に示したように、ペットボトルに対して蓋部１がコップ２０から突出するように一体成型し、蓋部１の内面にネジ溝２を設けたりすることが提案されている（特許文献１、２参照）
【０００４】
ところが、ここに提案されたコップは、ペットボトルが、中型（０．５リットル）または大型（２リットル）、いずれかのペットボトル用に作られたものであるから、中型（０．５リットル）のコップを大型（２リットル）のペットボトルに被せると、蓋部１の突出部分の高さｈ１が低いために、コップ周縁の飲み口部分２１がペットボトルの肩部に当接してしまい、蓋部がペットボトルの口部に届かず、蓋として機能しない。一方、大型（２リットル）のコップを中型（０．５リットル）のペットボトルに被せると、コップが大きいので周縁の飲み口部分２１がペットボトルの肩部からはみ出してしまい、美観を損ねるだけでなく不安定になってしまう。
【先行技術文献】
【特許文献】
【０００５】
【特許文献１】実用新案登録第３０１６２６２号公報
【特許文献２】特開２００６−３６２６４号公報
【考案の開示】
【考案が解決しようとする課題】
【０００６】
本考案の目的は、このような事情を鑑みてなされたものであり、ペットボトル容積の大小によらずコップを蓋として被せることができるペットボトル用のコップを提供することにある。
【課題を解決するための手段】
【０００７】
本考案は、上記従来技術の問題点を解決するために、ペットボトルの口部にコップ底面が蓋となるようにキャップ部を突出して一体成形したコップにおいて、該キャップ部に、突出部分の延長用部材を着脱可能に設けることで、ペットボトル容積の大小によらずコップを蓋として被せることができるようにしたものである。（図１）
【０００８】
すなわち、本考案の第１の考案によれば、コップ内側の底部中央に、ペットボトルの蓋となるキャップ部を突出して一体成形するとともに、該キャップ部には、突出部分を延長するための延長用部材を着脱可能に設けていることを特徴とするペットボトル用コップが提供される。
【０００９】
また、本考案の第２の考案によれば、第１の考案において、前記延長用部材は、長さが３０〜５０ｍｍであることを特徴とするペットボトル用コップが提供される。
【考案の効果】
【００１０】
本考案のペットボトル用コップは、コップ内側の底部中央に、ペットボトルの蓋となるキャップ部を突出して一体成形しているので、ペットボトルのキャップが紛失しても支障がなく、利用の都度自分のコップを用意する必要がない。
しかも、該キャップ部には、突出部分の延長用部材を着脱可能に設けているので、ペットボトルが、中型（０．５リットル）であっても大型（２リットル）であっても、キャップ部がペットボトルの口部に対して蓋として機能し、いずれのペットボトルでも見栄えがよく、またポリエステルやポリプロピレンなどの樹脂から比較的容易かつ安価に製造できる。
【図面の簡単な説明】
【００１１】
【図１】本考案のペットボトル用コップの一部縦断・側面図である。
【図２】本考案のペットボトル用コップに装着される延長用部材の縦断・側面図である。
【図３】従来のペットボトル用コップの斜視図（ａ）、一部縦断・側面図（ｂ）である。
【図４】本考案のペットボトル用コップを大型ペットボトル（ａ）、中型ペットボトル（ｂ）に被せた状態を示す説明図である。
【考案を実施するための形態】
【００１２】
以下、本考案のペットボトル用コップについて、図面を用いて詳細に説明する。本考案のペットボトル用コップは、図１に示すように、コップ本体２０と延長用部材１０からなる。
【００１３】
本考案において、コップ本体２０は、ペットボトルの口部に蓋となって被さるのに十分な大きさと強度を持つものであれば、外観形状や素材の種類によって限定されない。大きさは、図４に示すように、直径が５００ｍｌのペットボトルの外径と同程度が好ましい。直径が底部と開口部で同一なタイプでも、図１のように開口部が広がったタイプでもよい。サイズは、例えば、直径が６０〜８０ｍｍ、高さが６０〜８０ｍｍ、厚さが１〜３ｍｍとすることができる。好ましくは直径が７０〜７５ｍｍ、高さが７０〜７５ｍｍ、厚さが１．５〜２ｍｍである。開口部が広がったタイプでは、開口部の直径を底部よりも５〜２０ｍｍ大きくすることで、後述する延長部材１０の着脱を容易とすることができる。
【００１４】
また、素材の種類は、ペットボトルの口部にコップ底面が被さり、蓋となるようにキャップ部を突出して一体成形できるものであれば、特に限定されない。ただし、セラミック製であると、成形しにくいし、壊れやすく、金属製は十分な強度をもつが成形しにくいので、プラスチック材料（樹脂）が好ましい。
樹脂としては、例えば、ポリエチレンテレフタレート、ポリエチレンナフタレートなどのポリエステル、ポリエチレンやポリプロピレンなどのポリオレフィン、塩ビ、ポリアミド、ＡＳ、ＡＢＳ、スチロール、アクリル樹脂などの熱可塑性樹脂のほか、不飽和ポリエステル、フェノール樹脂などの熱硬化性樹脂を用いることができる。この中でもコスト、成形性の観点からポリエステル、ポリオレフィン樹脂が好ましい。
【００１５】
これらの樹脂を使用してコップを成形するには、射出成形等の一般的な成形方法を用いればよい。射出成形では、通常、二つの金型を一組にして密着させ内面がコップの形状となるようにした後、周囲の一点若しくは二点に設けられた開口から溶融された樹脂を注入する。金型開口部は、樹脂の流れをスムーズにするため、少し広めにとるとよい。
樹脂は材料に応じて成形温度が異なるが、ポリエステル（ＰＥＴ）では１００〜１５０℃付近、ポリプロピレンでは１８０〜２００℃付近である。樹脂には予め着色剤を加えておくことで、赤、黄、青、緑、黒など様々な色調が実現できる。これらを配合しなければ、ほぼ透明又は半透明に仕上がる。強度を高めるため充填材として炭素繊維、ガラス繊維などの補強材を混入することができる。金型を冷却後、分離して中から成形品を取り出す。
【００１６】
図１に示すように、コップ本体２０の内側底面には、その中心部からリング状に突出したキャップ部１が形成されている。キャップ部１は、概略ペットボトルの蓋をコップの内側底面に接着したような構造であり、その側壁の内面には、雌ネジ２が形成され、ペットボトルボトル本体の口部の雄ねじで嵌合するようになっている。雌ネジ２の内径は、ボトル本体３０の口部の外径よりも若干大きく形成されることが好ましい。
【００１７】
また、前記キャップ部１の内側には、延長用部材１０の先端を嵌め込み可能とする雌ネジ２が形成されている。ネジ山は、前記とは異なり、延長用部材１０の先端を嵌め込んだ後、緩みにくいようにすることが好ましい。
【００１８】
また、前記コップ２０本体には、その外周縁に取っ手２２を１つ又は２つ設けることができる。取っ手２２の形状は、特に制限されず、指が入りやすく、かつ大きすぎない程度がよい。取っ手の付け根はある程度太く、それ以外の部分は若干細く（薄く）形成することができる。
なお、コップの外表面には、強度を増し、あるいは美観を付与するためにコーティングやデザインを施すことができる。
【００１９】
このコップは、ペットボトルに被せたとき、コップの開口側上縁が、０．５リットルのペットボトル本体の肩部Ｓにその全周に亘って接するようになるので、中型（０．５リットル）のペットボトル用コップとして使用される（図４の（ｂ）参照）。
ところが、このコップを大型（２リットル）のペットボトルに被せると、キャップ部１の突出部分の高さｈ１が低いために、コップ周縁の飲み口部分２１がペットボトルの肩部Ｓに当接してしまい、キャップ部１がペットボトルの口部に届かず、蓋として機能しない。
【００２０】
本考案において、延長用部材１０は、このような場合に、コップ周縁の飲み口部分２１がペットボトルの肩部Ｓに当接しないように、底部中央で突出したキャップ部１の長さを延長する一種のアダプター（アタッチメント）として機能する。
【００２１】
延長用部材１０は、内部が空洞の無底筒状体でもよいが、一端（ペットボトルの口部と接する側）が空洞で、他端（コップ底部側）が中実の有底筒状体でもよい。
図２に示すように、延長用部材１０の外側先端には、前記キャップ部１の内側に嵌め込み可能な雄ネジが形成されている。ネジ山は、延長用部材の先端が嵌まり込んだ後、緩みにくくなる仕様が好ましい。延長用部材１０も前記コップ２０の成形と同様、金型を用意し、加熱された樹脂を金型内に充填して成形することができる。樹脂の種類は、コップの材料と同じでもよいし、着脱が容易かつ確実なものに変えてもよい。
【００２２】
延長用部材１０は、キャップ部の長さを延長するのに十分な高さｈ２を有していなければならない。
延長用部材１０の高さ（ｈ２）は、例えば、３０〜５０ｍｍとし、３５〜４０ｍｍが好ましく、３６〜３９ｍｍがより好ましい。また、その肉厚は、突出部と同程度が好ましい。図４（ａ）は、本考案のペットボトル用コップ２０を大型ペットボトル３０に被せた状態、図４（ｂ）は、本考案のペットボトル用コップ２０を中型ペットボトル３０に被せた状態を示している。高さ（ｈ２）が３０ｍｍよりも小さいと、蓋部がペットボトルの口部に届きにくく、蓋として機能しないことがあり、しかも、コップへの取り付けたり外したりする際に、指で摘み回転させるのが困難となる。一方、高さ（ｈ２）が５０ｍｍを超えると、蓋部が不安定になるだけでなく、飲みにくくなる。
【００２３】
延長用部材１０は、先端をキャップ部１の外側に形成されたネジに嵌め込むようにする代わりに、先にペットボトル３０の口部に嵌め込み、その後、コップ２０を被せるようにしてもよい。
なお、延長用部材１０は、コップ内面を洗浄する際にはコップの蓋部１の突出部分から取り外すことができ邪魔にはならない。
【００２４】
一方、上記のように、延長用部材１０の先端にネジを設ける代わりに、コップ本体２０の内側（キャップ部１の付け根）に凹みを形成し、凸状にした先端をワンタッチで押し込むか、逆に、コップ２０内側（キャップ部１の付け根）に凸部を形成し、延長用部材１０の先端に凹みを形成することによりワンタッチで押し込むようにすることもできる。
【００２５】
また、延長用部材１０は、コップ本体２０よりも柔軟性がある材料で成形し、側壁縦方向にスリットを形成し、これにより着脱を容易にすることができる。コップ本体２０よりも柔軟性がある材料としては、合成ゴム、エラストマー、低密度ポリエチレンなどを挙げることができる。
【００２６】
延長用部材１０は、コップ本体２０のキャップ部１から外した後、洗浄して別ケースや袋に保管する。また、柔軟性がある材料で延長用部材１０を製造し、側壁縦方向にスリットを形成した場合は、取り外した際には、コップの取っ手２２にスリットを差し込んで結合することができる。
【符号の説明】
【００２７】
１  キャップ（蓋）部
２  雌ネジ部（キャップ内側）
３  雌ネジ部（延長用部材内側）
４  雄ネジ部（延長用部材外側）
１０  延長用部材
２０  コップ本体
２１  コップ周縁（飲み口）
２２  取っ手
３０  ペットボトル
【図１】
0003163596.tif 000003
【図２】
0003163596.tif 000004
【図３】
0003163596.tif 000005
【図４】
0003163596.tif 000006